(57)【要約】  クロスアーム（１１０）が提供され、その一端はタワー本体（１０１）に接続され、タワー本体（１０１）から離れたクロスアーム（１１０）の端部は、導線（１０３）を接続するための自由端である。自由端は、端部接続片（１１１）および延長部片（１１２）を含む。延長部片（１１２）は端部接続片（１１１）で固定されている。水平面の投影において、延長部片（１１２）は端部接続片（１１１）から突出し、導線（１０３）は延長部片（１１２）に接続される。延長部品（１１２）とクロスアーム（１１０）の中心線との間の角度は、導線（１０３）とクロスアーム（１１０）の中心線との間の角度よりも大きい。クロスアーム（１１０）の自由端には、端部接続片（１１１）上に水平に配置され、ジャンパー線を縛るために使用されるジャンパー線装置（１２０）がさらに設けられる。延長部品を使用することによって、回転角度が満たされるという条件下で導線とタワー本体との間の距離を増大させることができ、それによって導線とタワー本体との間の電気的ギャップに対する要件が満たされ、クロスアームの長さを増やす必要はない。端部接続片にジャンパー線装置を水平に配置することにより、ジャンパー線装置が上下方向のスペースを占有することがなくなり、配線層間距離を小さくすることができ、タワー本体のサイズを小型化できる。【選択図】図１
2019527529.tif 000002
【特許請求の範囲】
【請求項１】
タワー本体を備えるアングルタワーに適用されるクロスアームであって、前記クロスアームの一端は前記タワー本体に接続され、前記タワー本体から離れた前記クロスアームの他端は導線を接続するための自由端であるクロスアームであって、
前記自由端は、端部接続部材と、前記端部接続部材に固定された細長部材とを含み、
水平面の投影において、前記細長部材は前記端部接続部材から外側に延び、
前記導線は前記細長部材に接続されており、
前記細長部材と前記クロスアームの中心線との間の角度は、前記導線と前記クロスアームの前記中心線との間の角度よりも大きい、クロスアーム。
【請求項２】
前記細長部材は、前記端部接続部材の両側に配置されている、請求項１に記載のクロスアーム。
【請求項３】
１つの前記細長部材が前記端部接続部材上に配置され、角部にある２つの導線が前記細長部材の両端にそれぞれ接続されている、請求項１に記載のクロスアーム。
【請求項４】
前記細長部材は、複数の支持セグメントによって接合されている、請求項１に記載のクロスアーム。
【請求項５】
少なくとも１つの補強部材が前記細長部材上に配置されている、請求項１に記載のクロスアーム。
【請求項６】
前記少なくとも１つの補強部材は、前記細長部材および前記端部接続部材に接続されている、請求項５に記載のクロスアーム。
【請求項７】
少なくとも１つの補助部材が前記補強部材と前記細長部材との間に配置され、前記補助部材が前記補強部材および前記細長部材に接続されている、請求項５に記載のクロスアーム。
【請求項８】
前記細長部材は、前記アングルタワーの外側角部に配置されている、請求項１に記載のクロスアーム。
【請求項９】
前記クロスアームは複合クロスアームである、請求項１に記載のクロスアーム。
【請求項１０】
タワー本体を含むアングルタワーであって、
前記アングルタワーは、請求項１から９のいずれか１項に記載の前記クロスアームをさらに含む、アングルタワー。
【請求項１１】
タワー本体を備えるテンションタワーに適用されるクロスアームであって、前記クロスアームの一端は前記タワー本体に接続され、前記タワー本体から離れた前記クロスアームの他端は導線を接続するための自由端であり、前記自由端には、端部接続部材と、前記端部接続部材上に水平に配置されジャンパー線で吊下げられるように構成されたジャンパー装置とが設けられている、クロスアーム。
【請求項１２】
前記ジャンパー装置は複合ポスト碍子であり、前記複合ポスト碍子の一端は前記端部接続部材に接続され、前記複合ポスト碍子の他端は前記ジャンパー線で吊下げられている、請求項１１に記載のクロスアーム。
【請求項１３】
前記複合ポスト碍子は、接続金具によって前記ジャンパー線で吊下げられている、請求項１２に記載のクロスアーム。
【請求項１４】
前記テンションタワーはアングルタワーであり、
前記端部接続部材はさらに細長部材に接続されており、
水平面の投影において、前記細長部材は前記端部接続部材から外側に延び、
前記導線は前記細長部材に接続されており、
前記細長部材と前記クロスアームの中心線との間の角度は、前記導線と前記クロスアームの前記中心線との間の角度よりも大きい、請求項１１に記載のクロスアーム。
【請求項１５】
前記細長部材は、前記端部接続部材の両側に配置されている、請求項１４に記載のクロスアーム。
【請求項１６】
１つの前記細長部材が前記端部接続部材上に配置され、前記タワー本体の両側にある２つの導線が前記細長部材の両端にそれぞれ接続されている、請求項１４に記載のクロスアーム。
【請求項１７】
少なくとも１つの補強部材が前記細長部材上に配置されている、請求項１４に記載のクロスアーム。
【請求項１８】
前記少なくとも１つの補強部材は、前記細長部材および前記端部接続部材に接続されている、請求項１７に記載のクロスアーム。
【請求項１９】
前記クロスアームは複合クロスアームである、請求項１１に記載のクロスアーム。
【請求項２０】
タワー本体を含むテンションタワーであって、
前記テンションタワーは請求項１１から１９のいずれか１項に記載のクロスアームをさらに含む、テンションタワー。
【発明の詳細な説明】
【技術分野】
【０００１】
本発明は、送電および変圧装置の技術分野に関し、より詳細には、クロスアーム、およびアングルタワーおよびそれらを含むテンションタワーに関する。
【背景技術】
【０００２】
架空送電線では、送電鉄塔は導線を支持するように機能する。具体的には、導線は送電鉄塔に固定されたクロスアームによって支持されている。特定の接続手段は、送電鉄塔のクロスアームの自由端に導線を吊下げる。
【０００３】
アングルタワーは、経路の方向を変更する必要があるときに送電線の経路の方向を変更するために使用される送電鉄塔である。図１に示すように、従来のアングルタワー１０は、外側角部１１と内側角部１２とを有する。内側角部１２の導線１３はアングルタワー１０から遠ざかりやすく、外側角部１１の導線１４は、最初は接近しやすく、次いでアングルタワー１０から離れやすい。導線とアングルタワー１０との間には、最小の電気的クリアランスに対する要求がある。一般に、導線とアングルタワー１０との間の距離は、電気的クリアランス要件を満たすためにクロスアームの長さを増大することによって増大するが、過度に長いクロスアームは製造上の困難が増大する。
【０００４】
テンションタワーは、一般に、不均衡な張力に耐えるために使用され、導線上の力は、一般に、テンションストリングによって鉄塔本体に伝達される。テンションタワーは、ラインテンションタワー、アングルタワーおよびターミナルタワーを含み、これらは導線および地線によって発生する水平荷重に耐えることができる。テンションタワーの両側にある導線は、ジャンパー線で接続する必要がある。図２に示すように、従来のテンションタワー２０では、ジャンパー線は、耐張碍子連２１および関連する取付金具を使用することによって実行される必要がある。耐張碍子連２１と取付金具を使用すると、クロスアーム２２間の垂直方向の間隔が非常に大きくなり、タワーヘッド２３が大型で複雑な構造となり、メンテナンスや設置に不便である。これは、テンションタワー２０が高価であること、導線によって生じる負荷およびタワーヘッド上の風荷重が大きいこと、およびタワー本体が重いことをもたらす。
【発明の概要】
【発明が解決しようとする課題】
【０００５】
従来技術の欠点を考慮して、本開示の１つの目的は、アングルタワー上に使用して導線を支持し、クロスアームの長さを増すことなく、導線と鉄塔本体との間の電気的クリアランスを満たすことができるクロスアームを提供することである。本開示の別の目的は、テンションタワー上で使用できて導線を支持でき、それによって耐張碍子および継手間の複雑な接続を解消できるクロスアームを提供することである。従って、導線の層間間隔が狭くなり、テンションタワーのタワーヘッドのサイズが小さくなる。その結果、構造が単純化され、コストが削減される。
【０００６】
上述の目的を達成するために、本開示は以下の技術的解決策を採用する。
【０００７】
本開示の一態様によれば、アングルタワーに適用されるクロスアームが提供される。前記アングルタワーはタワー本体を含む。前記クロスアームの端部は前記タワー本体に接続され、前記タワー本体から離れた前記クロスアームの他端は導線を接続するための自由端である。前記自由端は、端部接続部材と、前記端部接続部材に固定された細長（長尺）部材とを含む。水平面の投影において、前記細長部材は前記端部接続部材から外向きに延びる。前記導線は前記細長部材に接続されている。前記細長部材と前記クロスアームの中心線との間の角度は、前記導線と前記クロスアームの前記中心線との間の角度よりも大きい。
【０００８】
導線とタワー本体との間の最小の電気的クリアランスについての要件がある。電気的クリアランスは、導線からタワー本体までの最短スペース距離に関係する。最小の電気的クリアランスはフラッシュオーバーの原因となることを避け、個人の安全を確保することができる。本開示によれば、水平面の投影において、前記細長部材は、前記自由端から前記タワー本体と平行または離れる方向に外側に延びているので、角部における２つの導線の２つの吊り点間の距離を増加させることができる。そうすると、クロスアームの長さを変えることなく、導線とタワー本体との間の距離を大きくすることができ、すなわち導線とタワー本体との間の電気的クリアランスを大きくすることができる。
【０００９】
好ましくは、前記細長部材は、前記端部接続部材の両側に配置されている。角部にある２本の導線は、端部接続部材の両側に配置された細長部材にそれぞれ吊下げることができるので、導線とタワー本体との間の距離を大きくすることができる。
【００１０】
好ましくは、１つの前記細長部材は、前記端部接続部材上に配置され、角部にある２つの導線は前記細長部材の両端にそれぞれ接続される。細長部材は、全体として端部接続部材に取付けることができ、それは自由端に固定されるだけでよい。
【００１１】
好ましくは、前記細長部材は、複数の支持セグメントによって接合されている。導線とタワー本体との間の電気的クリアランス要件を満たすのに必要とされる所望の長さを有する細長部材を組立てるために適切な数の支持体を選択することができる。さらに、細長部材を長くする必要があるとき、そのような細長部材を多セグメント支持体の形態に組立てるだけの柔軟性がある。
【００１２】
好ましくは、少なくとも１つの補強部材が前記細長部材上に配置されている。補強部材の配置は、細長部材の強度および構造安定性を向上させることができる。
【００１３】
好ましくは、前記少なくとも１つの補強部材は、前記細長部材および前記端部接続部材に接続されている。補強部材、細長部材および端部接続部材は、細長部材の強度をさらに高める安定した三角形構造を形成することができる。
【００１４】
好ましくは、少なくとも１つの補助部材が前記補強部材と前記細長部材との間に配置され、前記補助部材が前記補強部材と前記細長部材とに接続されている。補助部材を配置することで、細長部材の剛性がさらに向上する。
【００１５】
好ましくは、前記細長部材は、前記アングルタワーの外側角部に配置されている。外側角部では、角部の導線が最初に接近してタワー本体から離れるので、導線とタワー本体との間の電気的クリアランスが要件を満たさないようにすることは容易である。アングルタワーの外側角部に細長部材を配置することによって、外側角部における２本の導線とタワー本体との間の距離を増大させることができる。
【００１６】
好ましくは、前記クロスアームは複合クロスアームである。
【００１７】
本開示によれば、アングルタワーも提供される。アングルタワーは、タワー本体と上述のクロスアームとを含む。アングルタワーは、クロスアームの長さを長くすることなく、導線とタワー本体との間の電気的クリアランスに関する要件を満たすことができる。
【００１８】
本開示の別の局面によれば、テンションタワーに適用されるクロスアームが提供される。前記テンションタワーはタワー本体を含む。クロスアームの端部はタワー本体に接続され、タワー本体から離れたクロスアームの他端は導線を接続するための自由端である。前記自由端には、端部接続部材とジャンパー装置が設けられている。前記ジャンパー装置は、前記端部接続部材上に水平に配置され、ジャンパー線が吊下げられるように構成される。
【００１９】
ジャンパー装置は端部接続部材上に水平に配置され、ジャンパー装置は、垂直空間を占有しないので、導線の層間間隔を狭くすることができる。そして耐張碍子および付属品間の複雑な接続をなくすことができる。従って、テンションタワーのタワーヘッドのサイズが小さくなり、構造が単純化され、コストが削減される。
【００２０】
好ましくは、前記ジャンパー装置は、複合ポスト碍子であり、前記複合ポスト碍子の一端は前記端部接続部材に接続され、前記複合ポスト碍子の他端は、前記ジャンパー線が吊下げられる。ジャンパー装置は、クロスアームの電界を最適化できる複合ポスト碍子として構成される。
【００２１】
好ましくは、前記複合ポスト碍子は、接続金具によって前記ジャンパー線が吊下げられる。それは、接続や取付けに便利である。
【００２２】
好ましくは、前記テンションタワーは、アングルタワーである。前記端部接続部材はさらに細長部材に接続されている。水平面の投影において、前記細長部材は、前記端部接続部材から外向きに延びる。前記導線は、前記細長部材に接続されている。前記細長部材と前記クロスアームの中心線との間の角度は、前記導線と前記クロスアームの中心線との間の角度よりも大きい。
【００２３】
アングルタワーでは、導線とタワー本体との間の最小の電気的クリアランスについての要件がある。電気的クリアランスは、導線からタワー本体までの最短スペース距離に関係している。最小の電気的クリアランスは、フラッシュオーバーの原因となることを避けることができ、個人の安全を確保することができる。本開示によれば、水平面の投影において、前記細長部材は、前記自由端から前記タワー本体と平行または離れる方向に外向きに延びる。タワー本体の両側にある２本の導線の２つの吊下げ点間の距離を増加することができる。そうすれば、クロスアームの長さを変えることなく、導線とタワー本体との間の距離、すなわち導線とタワー本体との間の電気的クリアランスを大きくすることができる。
【００２４】
好ましくは、前記細長部材は、前記端部接続部材の両側に配置されている。タワーの両側にある２本の導線は、端部接続部材の両側に配置された細長部材に吊下げることができ、その結果、導線とタワー本体との間の距離を大きくすることができる。
【００２５】
好ましくは、１つの前記細長部材は、前記端部接続部材上に配置され、前記タワー本体の両側にある２つの導線は、それぞれ前記細長部材の両端に接続される。細長部材は全体として端部接続部材に取付けることができ、それは自由端に固定されるだけでよい。
【００２６】
好ましくは、少なくとも１つの補強部材が前記細長部材上に配置されている。補強部材の配置は、細長部材の強度および構造安定性を向上させることができる。
【００２７】
好ましくは、前記少なくとも１つの補強部材は、前記細長部材と前記端部接続部材とに接続されている。補強部材、細長部材および端部接続部材は、細長部材の強度をさらに高める安定した三角形構造を形成することができる。
【００２８】
好ましくは、前記クロスアームは複合クロスアームである。
【００２９】
本開示に従ってテンションタワーが提供される。テンションタワーは、タワー本体とクロスアームとを含む。テンションタワーのタワーヘッドのサイズが小さく、材料費が節約され、設置が便利である。
【図面の簡単な説明】
【００３０】
【図１】図１は、従来のアングルタワーの平面図である。
【図２】図２は、従来のテンションタワーの概略図である。
【図３】図３は、本開示の実施例１に係るアングルタワーの上面図である。
【図４】図４は、図３に示すクロスアームの自由端の部分拡大図である。
【図５】図５は、本開示の実施例２に係るクロスアームの自由端の概略図である。
【図６】図６は、図５に示すクロスアームの自由端の拡大部分図である。
【図７】図７は、本開示の実施例３に係るアングルタワーの概略図である。
【図８】図８は、本開示の実施例４に係るテンションタワーの概略図である。
【図９】図９は、本開示の実施例５に係るテンションタワーの概略図である。
【図１０】図１０は、図９に示すクロスアームの自由端の部分拡大図である。
【図１１】図１１は、本開示の実施例６に係るテンションタワーの上面図である。
【図１２】図１２は、図１１に示すクロスアームの自由端の拡大部分図である。
【発明を実施するための形態】
【００３１】
本開示の特定の実施形態は、要求に応じて本明細書に開示されるであろう。しかしながら、今回開示された実施の形態はすべての点で例示であって、様々な形態で実施することができると理解されるべきである。従って、本明細書に開示された詳細は限定的であると見なされるべきではなく、特許請求の範囲の基礎および本明細書に開示された様々な特徴の使用および本明細書に明示的に開示されていない特徴との組合せを含む実際に適切な手段で開示を様々に適用することを当業者に教示するための代表的な基準として役立つ。
【００３２】
以下では、本開示の一態様に係るクロスアームについて、アングルタワーを例に挙げて説明する。
（実施例１）
【００３３】
図３は、ラインの角部におけるアングルタワー１００の使用を示す概略図である。アングルタワー１００は、タワー本体１０１と、タワー本体１０１上に配置されたクロスアーム１１０とを含む。角部の導線１０３は、それぞれクロスアーム１１０に吊下げられている。この例では、導線１０３は１２０度のコーナー角を有する。
【００３４】
この例では、クロスアーム１１０は、タワー本体１０１に接続された開放端と、導線１０３を接続するために使用される自由端として機能する頂点とを有するＶ字型複合クロスアームである。クロスアーム１１０は、２つのクロスアーム碍子１１３と自由端とを含む。２つのクロスアーム碍子１１３は、自由端において端部金具１１１によって固定されている。
【００３５】
図４は、クロスアームの自由端の部分拡大図を示す。クロスアームの自由端は、端部金具１１１、細長部材１１２、およびジャンパー装置１２０を含む。具体的には、細長部材１１２は、端部金具１１１の両側にそれぞれ配置されている。各細長部材１１２は、端部金具１１１に接続された端部と、細長部材の同じ側の導線１０３に接続された他端とを有する。ジャンパー装置１２０は、ジャンパー線を支持するために端部金具１１１に固定されている。
【００３６】
この例では、導線１０３とクロスアーム１１０の中心線とのなす角度は６０度である。細長部材１１２は自由端に水平に配置され、細長部材１１２とクロスアーム１１０の中心線との間の角度は９０度である。細長部材１１２の配置は、タワー本体１０１の同じ側で２つの角部のある導線１０３との仮想交差点を延長することと等価である。従って、導線１０３とタワー本体との間の距離は増大する。クロスアーム１１０の長さを変えることなく、導線１０３とタワー本体１０１との間の電気的クリアランスを満たすことができる。
【００３７】
直観的に説明するために、図３を図１と比較することができる。図１は、細長部材のないアングルタワー１０を示す。図３は、この実施形態による細長部材１１２を有するアングルタワー１００を示す。図１および図３のアングルタワーは、ともに同じコーナー角および同じクロスアーム長を有する。図３における導線１０３からタワー本体１０１までの距離Ｌ２は、図１における導線１３からタワー本体までの距離Ｌ１よりも長い。
【００３８】
あるいは、端部金具１１１上の任意の点を起点として導線１０３の平行線を引く場合、引かれた平行線からタワー本体１０１までの距離が、導線からタワー本体１０１までの距離よりも小さいことは明らかである。すなわち、アングルタワーに細長部材１１２を設けたクロスアームを用いることで、導線とタワー本体との間の電気的クリアランスを満足し易い。
【００３９】
この実施形態では、細長部材１１２は自由端に水平に配置されているので、細長部材１１２とクロスアーム１１０の中心線との間の角度を直接比較することができる。しかしながら、細長部材が水平面内に完全には存在し得ないことも明らかである。細長部材は、水平面の投影において、細長部材とクロスアームの中心線との間の角度が同じ側の導線とクロスアームの中心線との間の角度よりも大きい限り、垂直面内の角度だけオフセットされてもよい。
【００４０】
また、クロスアーム１１０の自由端には、２つの補強部材が配置されている。これら２つの補強部材は、傾斜部材１１６と補助部材１１７とを含む。傾斜部材１１６と細長部材１１２はＶ字型構造を形成している。すなわち、傾斜部材１１６と細長部材１１２との端部は接続プレート１１８に固定されてＶ字型の頂点を形成しており、傾斜部材１１６の他の端部は端部金具１１１に固定されている。傾斜部材１１６を配置することで、細長部材１１２の剛性と強度が向上する。補助部材１１７が傾斜部材１１６と細長部材１１２とに接続されることによって、傾斜部材１１６と細長部材１１２とによって形成されるＶ字構造が強化され、細長部材１１２の剛性と強度がさらに強化される。
【００４１】
細長部材１１２の使用により、クロスアーム１１０が長くなり過ぎることが抑えられ、クロスアーム１１０を備えたアングルタワーは、導線間の電気的クリアランスが満たされないという状況を回避することができる。アングルタワーは軽量で、ライン回廊は狭い。
【００４２】
角部のある導線の本数は本開示の進歩性の存在する点ではないので、角部のある導線は分割線であってもよい。この例では、細長部材１１２は、アングルタワー１００の外側の角部に配置されてもよいが、細長部材１１２はまた、内側の角部に配置されてもよい。外側の角部の導線は最初にタワー本体の近くにあり、次に外側の角部でタワー本体から離れているのに対し、コーナーの導線は内側の角部でタワー本体から直接離れている。それ故、内側の角部に比べ、外側の角部に細長部材を設けることがより必要である。
（実施例２）
【００４３】
図５および図６に示すように、この例では、細長部材２１２が全体として端部金具２１１に固定されており、細長部材２１２の両端には角部の導線２０３がそれぞれ接続されている。実施例１とは対照的に、この実施例における細長部材２１２は、異なる長さを有する５つの支持体２１９を接合することによって形成されている。導線とタワー本体との間の電気的クリアランスを満たすために必要とされる所望の長さを有する細長部材を組立てるために適切な数の支持体を選択することができる。さらに、細長部材を長くする必要があるとき、それは多セグメント支持体の形態での組立てに融通が利く。この例では、クロスアームの自由端にも補強部材および補助部材が配置されており、それらの機能および構造は実施例１と同じであり、ここでは詳細には説明しない。
（実施例３）
【００４４】
本開示において提供される細長部材は、それが適用されるクロスメンバー構造、材料、導線のコーナー角度などを限定するものではない。図７に示すように、この例では、アングルタワー３００上のクロスアーム３１０は線状のクロスアームである。導線３０３は、１００度のコーナー角を有し、角における導線３０３とクロスアーム３１０の中心線とのなす角は５０度である。この例では、細長部材が内角と外角の両方に配置されている。
【００４５】
具体的には、クロスアーム３１０は、クロスアーム絶縁体３１３と、タワー本体３０１から離れた自由端とを含む。自由端は、端部金具３１１と、端部金具３１１に接続された細長部材３１２とを含む。細長部材３１２は、鉛直面内で６０度の傾斜角と、クロスアーム３１０の中心線に対してそれぞれ７０度および１１０度の２つの角度を有する長方形の板である。細長部材３１２とクロスアーム３１０の中心線との間の角度は、導線３０３とクロスアーム３１０の中心線との間の角度よりも大きいので、この例におけるクロスアーム３１０は、導線３０３とタワー本体３０１との間の電気的クリアランスを満たすことができる。
【００４６】
この例では、端部金具３１１の端部は、クロスアーム絶縁体３１３に接合されたスリーブである。端部金具３１１の他端は、細長部材３１２に固定された接続板である。端部金具は、当業者に知られているように、細長部材に固定可能である任意の適切な接続部材を含み得る。さらに、導線は、当業者に知られている任意の適切な接続手段によって、例えばワイヤークランプを通して引っ掛けることによって、細長部材に接続することができる。
【００４７】
以下、本開示の他の態様に係るクロスアームについて、テンションタワーを例に挙げて説明する。
（実施例４）
【００４８】
図８に示すように、この例では、テンションタワー４００は、２回線の送電線として使用されるとともに、線路の向きを変えるためにも使用されるので、アングルタワーとみなすこともできる。アングルタワーとしてのテンションタワー４００は、タワー本体４０１と、テンションタワー４００上に配置された三相導線を接続するための６本のクロスアーム４１０とをそれぞれ備えている。クロスアーム４１０の一端はタワー本体４０１に接続され、クロスアーム４１０のタワー本体４０１とは反対側の端部は導線４０３を接続するための自由端となっている。クロスアーム４１０の自由端には、端部接続部材４１１とジャンパー装置４２０とが設けられている。ジャンパー装置４２０は、端部接続部材４１１上にジャンパー線４０２に吊下げられるために水平に配置されている。この例では、ジャンパー装置４２０の配置は、従来技術に関連した耐張碍子連および複雑な嵌合接続構成に代わるものである。各相のクロスアーム間の垂直距離が減少し、それによってテンションタワー４００のタワーヘッドのサイズも縮小する。タワー本体４０１の材料が節約され、構造が単純化され、そしてコストが削減される。
【００４９】
具体的には、タワー本体４０１は、格子型鉄塔でも、ロッド本体でも、あるいは複合タワーなどの他の形態の送電鉄塔構造でもよい。この例では、ジャンパー装置４２０は複合ポスト碍子４２１を含む。複合ポスト碍子４２１は、内側コアロッドと、コアロッドの外側のカバーとを含む。コアロッドは、エポキシ樹脂を含浸させたガラス繊維の引き抜き成形によって成形されている。カバーは高温加硫シリコーンゴム製で、コアロッドの外側に一体真空射出成形によって成形されている。複合ポスト碍子４２１の両端は、端部接続部材４１１またはワイヤークランプを接続するための接着剤で取付けられたフランジ４２２であり、それによってジャンパー線４０２を吊下げることができる。
【００５０】
図８に示すように、この例では、複合ポスト碍子４２１の一端のフランジ４２２は、例えばボルト締め、溶接などによって端部接続部材４１１に接続されている。複合ポスト碍子４２１は、タワー本体４０１から離れる方向に端部接続部材４１１から水平方向に延び、ジャンパー線４０２は他端でフランジ４２２に直接吊下げられている。ジャンパー線４０２の中央部は、複合ポスト碍子４２１に吊下げられている。ジャンパー線４０２の両端は、クロスアームの両側で角部のある導線４０３に接続されている。従って、導線は接続されている。
【００５１】
従来の耐張碍子連は、クロスアームの端部に吊下げられ、２つの隣接するクロスアーム間に垂直に配置されている。対照的に、本開示における複合ポスト碍子４２１の配置は、耐張碍子連を除去することができる。複合ポスト絶縁体４２１は、端部接続部材４１１上に水平に配置されているので、複合ポスト碍子４２１自体は、異なる位相の隣接する上部クロスアームと下部クロスアームとの間の垂直距離を占有しない。垂直面において、ジャンパー線４０２は、小さいラジアンで垂下がるだけである。従って、上中下の三相クロスアームを、電気的性能要求を満足する条件でよりコンパクトに配置することができるように、隣接する上下のクロスアームの間に大きな垂直方向のスペースを設ける必要がない。その結果、テンションタワー４００のタワーヘッドのサイズをより小さくすることができ、従って、構造が単純化され、コストが削減される。
【００５２】
この例では、テンションタワー４００のクロスアーム４１０の各相は、複合ポスト碍子４２１を含む。明らかに、テンションタワー４００内に複合ポスト碍子４２１を含むクロスアーム１００の１つのフェーズまたは２つのフェーズのみが存在してもよい。テンションタワー４００が、単一回路伝送ラインまたは複数の伝送ラインに使用されるとき、実際の動作条件に従って、対応する数のクロスアーム４１０を設けるためだけに必要である。また、テンションタワーがラインテンションタワーやターミナルタワーの場合であっても、同様のジャンパー装置４２０を適用でき、導線４０３を実際の用途に応じて配置するのみでよいので、詳細な説明は省略する。複合ポスト碍子４２１を使用する代わりに、ジャンパー装置４２０は、実際の使用要件を満たすことができる限り、ジャンパー線４０２を接続するために他の形態の絶縁部材を使用してもよい。
【００５３】
図８に示すように、細長部材４１２も端部接続部材４１１に接続されている。水平面の投影において、細長部材４１２は端部接続部材４１１から外側に延びる。タワー本体の両側にある２本の導線４０３は、それぞれ細長部材４１２の両端に接続されている。この実施例では、細長部材４１２は、端部接続部材４１１上に水平にかつ複合ポスト碍子４２１に対して垂直に配置されている。細長部材４１２とクロスアーム４１０の中心線との間の角度は、導線４０３とクロスアーム４１０の中心線との間の角度よりも大きい。
【００５４】
この実施例では、導線４０３とクロスアーム４１０の中心線との間の角度は６０度であり、細長部材４１２とクロスアーム４１０の中心線との間の角度は、９０度である。細長部材４１２の配置は、タワー本体４０１の同じ側にある２つの角部のある導線４０３の仮想交差点を延ばすのと同等であるべきである。従って、導線４０３からタワー本体４０１までの距離が長くなる。クロスアーム４１０の長さを変えずに導線４０３とタワー本体４０１との間の電気的クリアランスが満たされ、クロスアーム４１０が過度に長くなることが抑えられる。
【００５５】
この例では、細長部材４１２が端部接続部材４１１上に水平に配置されているので、細長部材４１２とクロスアーム４１０の中心線との間の角度を直接比較することができる。しかしながら、明らかに、細長部材が完全に水平面内になくてもよい。細長部材４１２は、水平面の投影内にある限り、垂直面内で角度によりオフセットしていてもよく、細長部材４１２とクロスアーム４１０の中心線との間の角度は、同じ側の導線４０３とクロスアーム４１０の中心線との間の角度よりも大きい。
【００５６】
この例では、端部接続部材４１１の端部は、クロスアーム４１０に接合されたスリーブである。端部接続部材４１１の他端部は、細長部材４１２に連結固定された連結板（図示せず）である。端部接続部材４１１は、当業者に知られているように、細長部材４１２に固定可能である任意の適切な接続部材を含むことができ、それらは本明細書では詳細に説明しない。さらに、導線４０３は、当業者に知られている任意の適切な接続手段によって、例えばワイヤークランプを通して引っ掛けることによって、細長部材４１２に接続することができる。
（実施例５）
【００５７】
図９に示すように、この例のテンションタワー５００は、ジャンパー線５０２が接続金具５３０を通して複合ポスト碍子５２１に吊下げられていることを除いて、実施例４のテンションタワー４００と実質的に同じである。
【００５８】
特に、図１０に示すように、複合ポスト碍子５２１の端部のフランジ５２２には接続孔５２３が設けられており、この接続孔５２３を通して接続金具５３０が接続される。少なくとも２つのワイヤークランプ５３１が接続金具５３０に配置され、少なくとも２つのワイヤークランプ５３１はジャンパー線５０２をクランプすることができる。この例では、ワイヤークランプ５３１および接続金具５３０は、接続を実現することができる限り、任意の適切な既存の構成を採用することができ、それについては本明細書では詳細に説明しない。
【００５９】
接続金具５３０と複合ポスト碍子５２１との間の距離を調整して異なる動作条件の要求を満たすために、接続部材５３０とフランジ５２２との間に調整部材５３２を配置することもできる。調整部材５３２は帯状の板であり、調整部材５３２の長手方向に沿って間隔をあけて複数の貫通孔が配置されている。接続金具５３０と複合ポスト碍子５２１との間の距離は、接続金具５３０を調整部材５３２上の異なる貫通孔に接続することによって調整することができる。もちろん、調整部材５３２は他の形態をとってもよい。例えば、調整部材５３２および接続金具５３０の一方の端部にねじ棒を設け、他方の端部にねじ棒とかみ合うねじを設けることができる。ねじ棒をねじにねじ込み、ねじ込み長さを調整することができるので、ねじ棒をねじに様々な長さでねじ込むことによって、接続金具と複合ポスト碍子との間の距離を調整することができる。
（実施例６）
【００６０】
図１１、図１２に示すように、この例では、この例のテンションタワー６００は、クロスアーム６１０がＶ字型複合クロスアームであることを除いて、実施例４のテンションタワー４００と実質的に同じである。Ｖ字型複合クロスアームの開口部はタワー本体６０１に接続され、Ｖ字型複合クロスアームはＶ字の頂点に端部接続部材６１１、細長部材６１２およびジャンパー装置６２０を含む。細長部材６１２は端部接続部材６１１の両側にそれぞれ配置され、ジャンパー装置６２０は端部接続部材６１１上に水平に配置される。
【００６１】
クロスアーム６１０は、２つの複合クロスアーム碍子６１３を含む。各複合クロスアーム碍子６１３は、絶縁チューブ６１４と、絶縁チューブ６１４の外側のシリコーンゴムカバー６１５とを含む。絶縁チューブ６１４は、ＳＦ6などの絶縁ガスで充填されてもよく、またはポリウレタンフォームで充填されてもよい。２つの複合クロスアーム碍子６１３は、端部接続部材６１１によってＶ字形の頂点で互いにしっかりと接続されている。
【００６２】
端部接続部材６１１の両側にはそれぞれ２つの細長部材６１２が配置されており、２つの細長部材６１２には角部で２本の導線６０３がそれぞれ掛けられている。この例では、導線６０３とクロスアーム６１０の中心線との間の角度は５０度であり、細長部材６１２とクロスアーム６１０の中心線との間の角度は７０度である。細長部材６１２の配置は、タワー本体６０１の同じ側にある２つの角のある導線６０３の仮想交差点を延長することと等価であり、その結果、細長部材６１１によって吊られたクロスアーム６１０に接続された導線６０３からタワー本体６０１への距離は長くなる。電気絶縁距離要件を満足する条件の下で、クロスアーム６１０が過度に長くなることが抑えられる。
【００６３】
また、クロスアーム６１０の自由端には、２つの補強部材が配置されている。２つの補強部材は、傾斜部材６１６と補助部材６１７とを含む。傾斜部材６１６と細長部材６１２はＶ字型構造を形成する。すなわち、傾斜部材６１６と細長部材６１２の端部は連結板６１８に固定されてＶ字状の頂点を形成する。傾斜部材６１６の他端は、端部連結部材６１１に固定されている。傾斜部材６１６の配置は、細長部材６１２の剛性および強度を高める。補助部材６１７は、傾斜部材６１６と細長部材６１２とに連結されているので、傾斜部材６１６と細長部材６１２とによって形成されるＶ字構造が強化され、すなわち細長部材６１２の剛性および強度がさらに強化される。
【００６４】
細長部材６１２を使用することにより、クロスアーム６１０が過度に長くなることが防止され、クロスアーム６１０を備えるテンションタワー６００は、導線６０３とテンションタワー６００との間の電気的クリアランスに関する要件が満たされない状況を回避できる。テンションタワーは軽量で、ライン回廊は狭い。その他、角部のある導線６０３の数は任意の適切な数であり得、角部のある導線６０３もまた束ねられた導線であり得る。
【００６５】
実施例１〜３に記載のアングルタワーのクロスアームはテンションタワーに適用でき、同様に、実施例３〜６に記載のテンションタワーのクロスアームもまたアングルタワーに適用することができることを当業者は理解するであろう。
【００６６】
上述の実施形態は、本開示のいくつかの実施形態を表すに過ぎず、その説明はより具体的かつ詳細である。しかし、それは本特許の範囲を限定するものとして解釈されるべきではない。当業者であれば、本開示から逸脱することなくいくつかの修正および改良を行うことができ、それらも本開示の保護の範囲内に入ることがあることに留意されたい。従って、それらも本開示の保護の範囲内に含まれ得ることに留意されたい。
【図１】
2019527529.tif 000003
【図２】
2019527529.tif 000004
【図３】
2019527529.tif 000005
【図４】
2019527529.tif 000006
【図５】
2019527529.tif 000007
【図６】
2019527529.tif 000008
【図７】
2019527529.tif 000009
【図８】
2019527529.tif 000010
【図９】
2019527529.tif 000011
【図１０】
2019527529.tif 000012
【図１１】
2019527529.tif 000013
【図１２】
2019527529.tif 000014
【国際調査報告】
2019527529.tif 000015
2019527529.tif 000016
2019527529.tif 000017
2019527529.tif 000018
2019527529.tif 000019
2019527529.tif 000020